(57)【要約】【課題】等化器が発散するときのタップ係数に着目し、タップ係数が大きくなりすぎないように演算を行なう、つまり、等化器の安定時、量子化誤差の積み上がりにより、タップ係数の更新が一定方向に向かって発散することを防止する等化器の発散防止回路を得ることを目的とする。【解決手段】発散防止回路６は、シンボルをカウントして数シンボル毎にパルスを出力するカウンタ回路７と、出力されたパルスのタイミングで１未満の１に近い定数を発生する定数回路１０とを有する。【選択図】　　　　図１
2004015658.tif 000002
【特許請求の範囲】
【請求項１】
収束判定を行なった後、数シンボル毎に、等化器のタップ係数に掛け合わせる１未満の１に近い定数を発生することを特徴とする等化器の発散防止回路。
【請求項２】
シンボルをカウントして数シンボル毎にパルスを出力するカウンタ回路と、
出力された上記パルスのタイミングで１未満の１に近い定数を発生する定数回路とを有することを特徴とする請求項１記載の等化器の発散防止回路。
【請求項３】
等化器のタップ係数の変化量を監視し、しきい値以上の変化量となるタップ係数に対して上記タップ係数を小さくするために演算される定数を発生することを特徴とする等化器の発散防止回路。
【請求項４】
タップ係数の変化量がしきい値より大きいことを検知してパルスを出力する検知回路と、
出力された上記パルスに応じて１未満の１に近い定数を発生する定数回路とを有することを特徴とする請求項３記載の等化器の発散防止回路。
【発明の詳細な説明】
【０００１】
【発明の属する技術分野】
この発明は、固定無線機において、適応等化器のタップ係数演算時に発生する量子化演算誤差の積み上がりによる発散を防ぐ等化器の発散防止回路に関するものである。
【０００２】
【従来の技術】
図３は例えば特開昭５７−２１１８１７号公報に示された従来のトランスバーサル等化器を示す図である。図３において、１は遅延回路であり、２は乗算器であり、３は加算器であり、４は減算器であり、５は適応アルゴリズムであり、９はリミッタ回路である。
【０００３】
次に、動作について説明する。
乗算器２のｈ（１，ｎ）〜ｈ（Ｍ，ｎ）によって構成されるタップ係数において、メインタップ係数をｈ（２，ｎ）とし、少なくとも前後１タップの係数ｈ（１，ｎ）、ｈ（３，ｎ）には抵抗とダイオードからなるリミッタ回路９を介して、適応アルゴリズム５からの制御信号を加えるようにする。伝送歪みが大きくなってもｈ（１，ｎ）、ｈ（３，ｎ）にはリミッタ回路９で制限された大きさの制御信号しか加えられないので制御系が発散状態になることはない。
【０００４】
【発明が解決しようとする課題】
従来の等化器は以上のように構成されているので、制御系信号は発散しないが、等化器のタップ係数ｈ（１，ｎ）〜ｈ（Ｍ，ｎ）が少しずつ大きくなり、タップ係数自体が発散する恐れがあるという課題があった。
【０００５】
この発明は上記のような課題を解決するためになされたもので、等化器が発散するときのタップ係数に着目し、タップ係数が大きくなりすぎないように演算を行なう、つまり、等化器の安定時、量子化誤差の積み上がりにより、タップ係数の更新が一定方向に向かって発散することを防止する等化器の発散防止回路を得ることを目的とする。
【０００６】
【課題を解決するための手段】
この発明に係る等化器の発散防止回路は、収束判定を行なった後、数シンボル毎に、等化器のタップ係数に掛け合わせる１未満の１に近い定数を発生するものである。
【０００７】
この発明に係る等化器の発散防止回路は、シンボルをカウントして数シンボル毎にパルスを出力するカウンタ回路と、出力されたパルスのタイミングで１未満の１に近い定数を発生する定数回路とを有するものである。
【０００８】
この発明に係る等化器の発散防止回路は、等化器のタップ係数の変化量を監視し、しきい値以上の変化量となるタップ係数に対してタップ係数を小さくするために演算される定数を発生するものである。
【０００９】
この発明に係る等化器の発散防止回路は、タップ係数の変化量がしきい値より大きいことを検知してパルスを出力する検知回路と、出力されたパルスに応じて１未満の１に近い定数を発生する定数回路とを有するものである。
【００１０】
【発明の実施の形態】
以下、この発明の実施の一形態を説明する。
実施の形態１．
図１は、この発明の実施の形態１による等化器の発散防止回路を示す構成図である。図１において、６はリーク制御回路であり、７はカウンタ回路であり、１０は定数回路である。その他の図３における符号と同じ符号が付された構成要素は、図３の同じ符号が付された構成要素と等しい。
【００１１】
次に動作について説明する。
等化器の入力ｕ（ｎ）を遅延回路１により遅延した後、乗算器２で各タップ係数ｈ（１，ｎ）〜ｈ（Ｍ，ｎ）を掛け合わせる。その各出力を加算器３により加える。
【００１２】
減算器４により出力信号ｙ（ｎ）を目標信号ｄ（ｎ）に近づけるように演算し、誤差信号ｅ（ｎ）を得る。この誤差信号ｅ（ｎ）が収束するように適応アルゴリズム５により演算が行われ、演算結果に基づく制御信号が適応アルゴリズムから各タップ係数ｈ（１，ｎ）〜ｈ（Ｍ，ｎ）に入力される。入力された制御信号に従って各タップ係数ｈ（１，ｎ）〜ｈ（Ｍ，ｎ）が更新される。
【００１３】
通常、等化器が収束した後、安定したタップ係数となるが、１シンボル毎にタップ係数の更新が行なわれるので、理想のタップ値からの誤差が発生する。しかし、この発生する誤差の累積によりタップ係数が発散することがある。
【００１４】
この現象を抑えるため、シンボル毎にカウンタ回路７によりカウントして、数カウントに一回パルスを出力する。そのパルスの出力タイミングに合わせ、定数回路１０で固定定数（例えば（１−１／２２０）のような１より小さい１に近い値）を発生し、その固定定数を各タップ係数に乗算して、固定定数が乗算されたタップ係数を更新されたタップ係数とする。
【００１５】
定常時にこの動作を行なうことにより、タップ係数が一定以上大きくなることを防ぎ、発散することのない安定した状態を保つ。
【００１６】
以上のように、この実施の形態１の等化器の発散防止回路（６）は、収束判定を行なった後、数シンボル毎に、等化器（１，２，３，４，５）のタップ係数（ｈ（１，ｎ）〜ｈ（Ｍ，ｎ））に掛け合わせる１未満の１に近い定数を発生するものである。
【００１７】
この実施の形態１の等化器の発散防止回路（６）は、シンボルをカウントして数シンボル毎にパルスを出力するカウンタ回路（７）と、出力されたパルスのタイミングで１未満の１に近い定数を発生する定数回路（１０）とを有するものである。
【００１８】
以上のように、この実施の形態１によれば、数シンボル毎に、等化器のタップ係数に掛け合わせる１未満の１に近い定数を発生するようにしたので、等化器の収束後、タップ係数が大きくなり発散することを避けることができ、フェージング下において信頼性の高い無線通信が可能となる効果が得られる。
【００１９】
実施の形態２．
図２は、この発明の実施の形態２による等化器の発散防止回路を示す構成図である。図２において、８は検知回路である。その他の図１における符号と同じ符号が付された構成要素は、図１の同じ符号が付された構成要素と等しい。
【００２０】
次に動作について説明する。
等化器の定常時において、一定以上の割合でタップ係数が大きくなると発散する恐れがあるので、タップ係数ｈ（１，ｎ）〜ｈ（Ｍ，ｎ）の時間微分値を算出する微分演算を行なってタップ係数の変化量を求め、検知回路８により変化量が設定されたしきい値より大きいときタップ係数を検知してパルスを出力する。そのパルスの出力タイミングに合わせ、定数回路１０で固定定数（例えば（１−１／２２０）のような１より小さい１に近い値）を発生し、その固定定数を対応するタップ係数に乗算して、固定定数が乗算されたタップ係数を更新されたタップ係数とする。これにより、タップ係数の発散を防止する。
【００２１】
図２に示す構成では、タップ係数の変化量を求めるための微分演算は検知回路８で行なわれるが、微分回路（図示されていない）を別に設けて、この微分回路でタップ係数の変化量を求めて、この変化量を検知回路８に入力し、検知回路８では、入力された変化量が設定されたしきい値より大きいタップを検知するようにしてもよい。
【００２２】
以上のように、この実施の形態２の等化器の発散防止回路（６）は、等化器（１，２，３，４，５）のタップ係数（ｈ（１，ｎ）〜ｈ（Ｍ，ｎ））の変化量を監視し、しきい値以上の変化量となるタップ係数に対してタップ係数を小さくするために演算される定数を発生するものである。
【００２３】
この実施の形態２の等化器の発散防止回路（６）は、タップ係数の変化量がしきい値より大きいことを検知してパルスを出力する検知回路（８）と、出力されたパルスに応じて１未満の１に近い定数を発生する定数回路（１０）とを有するものである。
【００２４】
以上のように、この実施の形態１によれば、等化器のタップ係数の変化量を監視し、しきい値以上の変化量となるタップ係数に対してタップ係数を小さくするために演算される定数を発生するようにしたので、等化器の収束後、タップ係数が大きくなり発散することを避けることができ、フェージング下において信頼性の高い無線通信が可能となる効果が得られる。
【００２５】
【発明の効果】
以上のように、この発明によれば、数シンボル毎に、等化器のタップ係数に掛け合わせる１未満の１に近い定数を発生するようにしたので、等化器の収束後、タップ係数が大きくなり発散することを避けることができ、フェージング下において信頼性の高い無線通信が可能となる効果がある。
【００２６】
この発明によれば、等化器のタップ係数の変化量を監視し、しきい値以上の変化量となるタップ係数に対してタップ係数を小さくするために演算される定数を発生するようにしたので、等化器の収束後、タップ係数が大きくなり発散することを避けることができ、フェージング下において信頼性の高い無線通信が可能となる効果がある。
【図面の簡単な説明】
【図１】この発明の実施の形態１による等化器の発散防止回路を示す構成図である。
【図２】この発明の実施の形態２による等化器の発散防止回路を示す構成図である。
【図３】従来の従来のトランスバーサル等化器を示す図である。
【符号の説明】
１　遅延回路、２　乗算器、３　加算器、４　減算器、５　適応アルゴリズム、６　リーク制御回路、７　カウンタ回路、８　検知回路、１０　定数回路。
【図１】
2004015658.tif 000003
【図２】
2004015658.tif 000004
【図３】
2004015658.tif 000005